(57)【要約】  歩行者が衝突した時に伝わるエネルギを制御するための車両ボンネット内に搭載されるエアバッグデバイス。１つの態様において、エアバッグデバイスは、エアバッグと展開可能なカバーパネルとを含むエアバッグハウジングを有し、カバーパネルは、キャリア部品に接続された外側部品を有し、キャリア部品は、エアバッグハウジングに接続され、エアバッグが膨張したとき、エアバッグハウジングから分離するように構成される。別の態様において、エアバッグデバイスは、エアバッグハウジングとカバーパネルとを有し、カバーパネルは、エアバッグハウジングから分離され、エアバッグハウジングからのカバーパネルの動きを規制するようにエアバッグハウジングに係留される。
2016525483.tif 000002
【特許請求の範囲】
【請求項１】
車両ボンネット内に搭載されるエアバッグデバイスであって、
エアバッグと展開可能なカバーパネルとを含むエアバッグハウジングを有し、
カバーパネルは、キャリア部品に接続された外側部品を有し、
キャリア部品は、エアバッグハウジングに接続され、エアバッグが膨張したとき、エアバッグハウジングから分離するように構成されたことを特徴とするエアバッグデバイス。
【請求項２】
外側部品は、キャリア部品に接着接合されたことを特徴とする請求項１に記載のエアバッグデバイス。
【請求項３】
外側部品は、キャリア部品の周縁部の周りで接着接合されたことを特徴とする請求項２に記載のエアバッグデバイス。
【請求項４】
外側部品は、実質的に連続的なビード状接合化合物により、キャリア部品の周縁部の周りで接着接合されたことを特徴とする請求項３に記載のエアバッグデバイス。
【請求項５】
外側部品は、ポリマ製であることを特徴とする請求項１〜４のいずれか１に記載のエアバッグデバイス。
【請求項６】
キャリア部品は、ポリマ製であることを特徴とする請求項１〜５のいずれか１に記載のエアバッグデバイス。
【請求項７】
キャリア部品は、これに固定された強化部品を有する、請求項１〜６のいずれか１に記載のエアバッグデバイス。
【請求項８】
強化部品は金属であることを特徴とする請求項７に記載のエアバッグデバイス。
【請求項９】
カバーパネルがエアバッグハウジングから展開することができる距離を規制するために、カバーパネルに固定された１つまたはそれ以上のテザーを有することを特徴とする請求項１〜８のいずれか１に記載のエアバッグデバイス。
【請求項１０】
展開状態にあるとき、カバーパネルの位置および向きを制御するように、テザーの長さが選択されることを特徴とする請求項１〜９のいずれか１に記載のエアバッグデバイス。
【請求項１１】
カバーパネルのキャリア部品に固定された１つまたはそれ以上のテザーを有することを特徴とする請求項９に記載のエアバッグデバイス。
【請求項１２】
カバーパネルは、エアバッグハウジングの前方端部および後方端部に対応する前方端部および後方端部を有し、
カバーパネルは、前方端部に沿った１つまたはそれ以上のテザーによりエアバッグハウジングに係留されることを特徴とする請求項９〜１１のいずれか１に記載のエアバッグデバイス。
【請求項１３】
カバーパネルは、後方端部に沿った１つまたはそれ以上のテザーによりエアバッグハウジングに係留されることを特徴とする請求項１２に記載のエアバッグデバイス。
【請求項１４】
前方端部に沿った１つまたはそれ以上のテザーの長さは、後方端部に沿った１つまたはそれ以上のテザーの長さより短いことを特徴とする請求項１３に記載のエアバッグデバイス。
【請求項１５】
カバーパネルは、その前方端部に沿った１つまたはそれ以上の位置において、１つまたはそれ以上のテザーを用いて、エアバッグハウジングの１つまたはそれ以上の位置で係留されることを特徴とする請求項１２〜１４のいずれか１に記載のエアバッグデバイス。
【請求項１６】
カバーパネルは、エアバッグの展開時、所定の張力負荷の下で破砕するように構成された１つまたはそれ以上の固定部を介してエアバッグハウジングに接続されることを特徴とする請求項１〜１５のいずれか１に記載のエアバッグデバイス。
【請求項１７】
１つまたはそれ以上の固定部は、ヒートステークであり、その寸法は、エアバッグの展開時、１つまたはそれ以上のヒートステークが所定の張力負荷の下で破砕するように選択されたことを特徴とする請求項１６に記載のエアバッグデバイス。
【請求項１８】
車両ボンネット内に搭載されるエアバッグデバイスであって、
エアバッグハウジングとカバーパネルとを有し、
カバーパネルは、エアバッグハウジングから分離され、エアバッグハウジングからのカバーパネルの動きを規制するようにエアバッグハウジングに係留されることを特徴とするエアバッグデバイス。
【請求項１９】
カバーパネルは、エアバッグハウジングの前方端部および後方端部に対応する前方端部および後方端部を有し、
カバーパネルは、前方端部に沿った１つまたはそれ以上の位置でエアバッグハウジングに係留されることを特徴とする請求項１８に記載のエアバッグデバイス。
【請求項２０】
カバーパネルは、前方端部に沿った１つまたはそれ以上の位置でエアバッグハウジングに１つまたはそれ以上のテザーを介して係留されることを特徴とする請求項１９に記載のエアバッグデバイス。
【請求項２１】
前方端部に沿った１つまたはそれ以上のテザーの長さは、後方端部に沿った１つまたはそれ以上のテザーの長さより短いことを特徴とする請求項２０に記載のエアバッグデバイス。
【請求項２２】
カバーパネルは、その前方端部に沿った１つまたはそれ以上の位置において、１つまたはそれ以上のテザーを用いて、エアバッグハウジングの１つまたはそれ以上の位置で係留されることを特徴とする請求項１９〜２１のいずれか１に記載のエアバッグデバイス。
【請求項２３】
１つまたはそれ以上のテザーの長さは、展開状態にあるカバーパネルの位置および向きを制御するように選択されることを特徴とする請求項１９〜２２のいずれか１に記載のエアバッグデバイス。
【請求項２４】
カバーパネルは、エアバッグの展開時、所定の負荷の下で破砕するように構成された１つまたはそれ以上の固定部を介してエアバッグハウジングに固定されることを特徴とする請求項１８〜２３のいずれか１に記載のエアバッグデバイス。
【請求項２５】
１つまたはそれ以上の固定部は、ヒートステークであり、その寸法は、エアバッグの展開時、１つまたはそれ以上のヒートステークが所定の張力負荷の下で破砕するように選択されたことを特徴とする請求項２４に記載のエアバッグデバイス。
【請求項２６】
カバーパネルは、エアバッグデバイスが搭載されるボンネットの表皮面を画定する外側部品と、外側部品に固定されるキャリア部品とを有することを特徴とする請求項１８〜２５のいずれか１に記載のエアバッグデバイス。
【請求項２７】
キャリア部品は、外側部品より高い剛性を有することを特徴とする請求項２６に記載のエアバッグデバイス。
【請求項２８】
外側部品は、キャリア部品に接着接合されることを特徴とする請求項２６または２７に記載のエアバッグデバイス。
【請求項２９】
外側部品は、キャリア部品の周縁部に接着接合されることを特徴とする請求項２８に記載のエアバッグデバイス。
【請求項３０】
外側部品は、実質的に連続したビード状接合化合物を用いて、キャリア部品の周縁部に接着接合されることを特徴とする請求項２９に記載のエアバッグデバイス。
【請求項３１】
外側部品は、ポリマ製であることを特徴とする請求項２６〜３０のいずれか１に記載のエアバッグデバイス。
【請求項３２】
キャリア部品は、ポリマ製であることを特徴とする請求項２６〜３１のいずれか１に記載のエアバッグデバイス。
【請求項３３】
キャリア部品は、これに固定された強化部品を有することを特徴とする請求項２６〜３２のいずれか１に記載のエアバッグデバイス。
【請求項３４】
強化部品は金属であることを特徴とする請求項３３に記載のエアバッグデバイス。
【請求項３５】
エアバッグは、第１および第２の外側エアバッグ部の間にある中央エアバッグ部を有し、展開状態にあるとき、第１および第２の外側エアバッグ部は、中央エアバッグ部を超えて拡張することを特徴とする請求項１８〜３４のいずれか１に記載のエアバッグデバイス。
【請求項３６】
非展開状態にあるとき、中央エアバッグ部が丸められた形態を有するとともに、第１および第２の外側エアバッグ部が丸められ、折り畳まれた形態を有することを特徴とする請求項３５に記載のエアバッグデバイス。
【請求項３７】
エアバッグは、１つまたはそれ以上のテザーに対応する１つまたはそれ以上のチャンネルを有し、
展開状態にあるとき、１つまたはそれ以上のチャンネルが１つまたはそれ以上のテザーを収容することを特徴とする請求項１９を引用する請求項３５または３６に記載のエアバッグデバイス。
【請求項３８】
１つまたはそれ以上のチャンネルは、中央エアバッグ部と第１および第２の外側エアバッグ部との間の接合部に画定されることを特徴とする請求項３７に記載のエアバッグデバイス。
【請求項３９】
請求項１〜３８のいずれか１に記載のエアバッグデバイスが実装される開口部を画定するパネルを有する車両ボンネット装置。
【請求項４０】
車両ボンネット装置のカバーパネルは、ねじり力に対抗して車両ボンネット装置を強化するように開口部に隣接した横方向スパーを有することを特徴とする請求項３９に記載の車両ボンネット装置。
【請求項４１】
エアバッグは、第１および第２の外側エアバッグ部の間にある中央エアバッグ部を有し、展開状態にあるとき、第１および第２の外側エアバッグ部は、関連車両の各Ａピラー上に拡張し、中央エアバッグ部は、車両ボンネット装置の後方に配置される関連車両のカウル領域を実質的に覆うことを特徴とする請求項３９または４０に記載の車両ボンネット装置。
【請求項４２】
非展開状態にあるとき、中央エアバッグ部が丸められた形態を有するとともに、第１および第２の外側エアバッグ部が丸められ、折り畳まれた形態を有することを特徴とする請求項４１に記載の車両ボンネット装置。
【請求項４３】
エアバッグは、１つまたはそれ以上のテザーに対応する１つまたはそれ以上のチャンネルを有し、
エアバッグが展開状態にあるとき、１つまたはそれ以上のチャンネルが１つまたはそれ以上のテザーを収容することを特徴とする請求項１１〜１５および請求項１８〜２３のいずれか１を引用する請求項４１または４２に記載の車両ボンネット装置。
【請求項４４】
請求項３９〜４３のいずれか１に記載の車両ボンネット装置を搭載した車両。
【請求項４５】
請求項１〜３８のいずれか１に記載のエアバッグデバイスを搭載した車両。
【請求項４６】
添付図面を参照して実質的に上記説明した、または添付図面に図示したエアバッグデバイス。
【請求項４７】
添付図面を参照して実質的に上記説明した、または添付図面に図示したボンネット装置。
【請求項４８】
添付図面を参照して実質的に上記説明した、または添付図面に図示した車両。
【発明の詳細な説明】
【技術分野】
【０００１】
本願は、車両ボンネット内に搭載可能であって、歩行者を衝撃から保護するためのエアバッグデバイスに関する。本発明の態様は、エアバッグ装置、エアバッグデバイスを搭載したボンネット装置、および車両に関する。
【背景技術】
【０００２】
道路交通事故の負傷者および死亡者の大半は歩行者である。交通規制および歩行者に対する教育により、負傷者および死亡者の数を低減することができるが、近年、衝突事故が生じた際に歩行者が負傷する可能性を低減するために、車両設計を改良しようとすることに焦点が当てられてきた。
【０００３】
１つの開発領域は、「パッシブ（受動的な）」手法において、衝突時に歩行者が衝撃を受ける可能性の高い車両部位（車両ポイント）を柔軟にすることであった。既知の手法は、車両および特にパッセンジャーセルの構造的な品位を保ちながら、バンパ（フェンダ）、ボンネット（フード）、ウィンドスクリーン、およびＡピラーを衝突時により従順なものとするように再設計することである。
【０００４】
パッシブ手法に加えて、衝突時のエネルギ伝達をより効率的に制御することができる、いわゆる「アクティブ（能動的な）」システムが開発されてきた。こうしたアクティブシステムは、衝突時、アクチュエータがボンネット全体を上方に展開するポップアップ式（跳ね上げ式）ボンネットを含む。ここで、ボンネットの比較的に従順な構造は、通常スチール鋼であるが、歩行者にとって衝撃を緩衝表面として機能し、上方に展開したボンネットは、エンジンルームからのクリアランス（空間）を増大し、その内部にあるより硬い部品（エンジンおよびサスペンション部品）への衝突から保護者を保護するものである。このようなシステムは、エネルギ伝達制御を改善する手法を提供し、ボンネットが実質的な質量を有するため、ボンネットが展開する速度が制限され、ボンネットが展開する速度は通常、ボンネットをできるだけ迅速に展開することが好ましいため、ボンネットの質量は展開速度と折り合いを付ける（妥協点を見出す）。
【０００５】
別のアクティブシステムが知られている。１つの具体例では、車両のカウル内に搭載され、歩行者との衝突時、ボンネットの下方から展開するエアバッグデバイスが知られている。このシステムでは、ボンネットは同様に、上方に短い距離だけ展開する。こうしたデバイスのエアバッグユニットは、完全に膨張したとき、通常、Ｕ字状の形態を有し、膨張したエアバッグの水平方向のベース部は、ウィンドスクリーンの下側端部上に配置され、膨張したエアバッグのアーム部は、ウィンドスクリーンの両サイドにあるＡピラー上に多少なりとも延びているので、これらの車両の硬い領域（硬いポイント）の緩衝表面を提供することができる。こうしたシステムは、ボンネットの後方部分、ウィンドスクリーンベース部、およびＡピラーとの衝突時、歩行者をある程度保護することができるが、その有効性は、こうした（車両カウル内に容量を必要とする）エアバッグを格納するために利用可能な限定的空間との間で妥協点を見出すことになり、こうした空間は、通常、エアコン空気の取入管およびウィンドスクリーンのワイパー部品等の既存の構成部品を格納するために用いられるものである。さらにボンネットの全体質量を展開させる必要があり、これはシステムの全体エネルギ消費量を増大させ、展開時間を制限する。
【０００６】
本発明は、こうした背景の下でなされたものである。本発明に係る実施形態は、車両のための改善されたエアバッグデバイスを提供するものである。本発明に係る他の目的および利点は、以下の明細書、クレーム、および図面から明らかとなる。
【発明の概要】
【０００７】
本発明の態様によれば、車両ボンネット内に搭載されるエアバッグデバイスが提供され、このエアバッグデバイスは、エアバッグと展開可能なカバーパネルとを含むエアバッグハウジングを有し、カバーパネルは、キャリア部品に接続された外側部品を有し、キャリア部品は、エアバッグハウジングに接続され、エアバッグが膨張したとき、エアバッグハウジングから分離するように構成される。
【０００８】
別の態様によれば、本発明は、エアバッグデバイスのためのカバーパネルに存在し、カバーパネルは、キャリア部品に接続された外側部品を有し、キャリア部品は、エアバッグデバイスのエアバッグハウジングに固定可能であり、エアバッグデバイスが膨張したとき、エアバッグハウジングから分離するように構成される。
【０００９】
本発明に係る実施形態は、エアバッグの上方位置に展開するカバーパネルとエアバッグとを組み合わせることにより、衝突時の歩行者を保護するとともに、車両の車体が受ける損傷から保護する手段を提供する。２つの構成部品を組み合わせると、カバー部品の車両上の位置に関して最適化することができ、第１に車両の外側表皮の一部として外側部品の視覚的外観において最適化し、第２に周辺環境条件に対する効率的な対抗において最適化するように外側部品を最適化する一方、キャリア部品をエアバッグハウジングに接続する構造的機能のために特別に設計することができる。
【００１０】
好都合にも、本発明に係る実施形態のエアバッグデバイスは、ボンネット内に搭載することができ、既知のシステムのようにボンネット全体ではなく、カバーパネルのみが展開可能である。エアバッグデバイスは、展開に係る質量を小さくするので、展開時間を低減する。さらにエアバッグデバイスは、既知のシステムのようにボンネットの下方に格納されないので、展開容量に制限がなく、エアバッグの畳み込み条件を簡略化し、展開時間を低減することができる。
【００１１】
さらなる利点によれば、カバーパネルを外側から視認できるので、エアバッグデバイスとして適当に印を付けることができ、これはいくつかの国では、点検作業員および緊急作業員等に対して爆発部品の存在を警告するために規則で定められている。
【００１２】
好都合にも、外側部品をキャリア部品に接着接合することができ、これは、２つの構成部品を接合するための迅速で効率的な手段であり、クリップ、ねじ、ボルト等の機械式固定部品の必要性を排除するものである。外側部品は、キャリア部品の周縁部に接着接合することができ、１つの実施形態では、実質的に連続したビード状接合化合物を用いて接合される。こうした技術は、視認される表面上の不必要な表面品位を引き起こし得る上側部品に加わる力の配分を最適化して、たとえば温度変化等の環境ストレスの下で局部的に累積した力に対抗して保護することができる。
【００１３】
対費用効果、軽量、および強度を考慮して、外側部品とキャリア部品はともにポリマ製であって、１つの実施形態では、低温時の高い衝撃強度を有するポリカーボネイト／アクリルニトリル・ブタジエン・スチレン（ＰＣ−ＡＢＳ）等の適当な合成樹脂であってもよい。
【００１４】
キャリア部品は、ねじれスパイン（脊柱）として機能する強化部品を採用してもよく、金属で作製され、任意的にはアルミニウム合金等の金属シートで作製されてもよい。強化部品は、展開するエアバッグが与える頭部衝撃力より大きな展開力で衝撃を与えるとき、過剰湾曲に対抗する追加的な剛性をカバーパネルに与える。
【００１５】
エアバッグデバイスは、カバーパネルがエアバッグハウジングから展開できる距離を規制するために、カバーパネルに固定される１つまたはそれ以上のテザーを含むテザーシステムを採用してもよい。任意的には、１つまたはそれ以上のテザーは、カバーパネルのキャリア部品に固定してもよい。テザーは、カバーパネルおよびエアバッグハウジングの関連する後方端部に固定してもよい。しかし、展開時のカバーパネルの位置をより確実なものとするために、１つまたはそれ以上のテザーを、カバーパネルおよびエアバッグハウジングの前方端部または前方端部に向かって固定してもよい。カバーパネルは、その前方端部に沿った１つまたはそれ以上の位置において、１つまたはそれ以上のテザーを用いて、エアバッグハウジングの後方端部に沿った１つまたはそれ以上の位置で係留してもよい。択一的または追加的には、カバーパネルは、その後方端部に沿った１つまたはそれ以上の位置において、１つまたはそれ以上のテザーを用いて、エアバッグハウジングの後方端部に沿った１つまたはそれ以上の位置で係留してもよい。
【００１６】
１つまたはそれ以上のテザーの長さは、展開状態にあるカバーパネルの高さを制御するように選択される。１つの実施形態において、前方端部に沿った１つまたはそれ以上のテザーの長さは、後方端部に沿った１つまたはそれ以上のテザーの長さより短く、展開時、カバーパネルを前方傾斜させる（前方がより低い状態で傾斜させる）ように仕向ける。後方テザーが前方テザーより短くなるように構成すると逆に、展開時、カバーパネルを後方傾斜させ（前方がより低い状態で傾斜させ）、いくつかの状況では好ましいものである。
【００１７】
カバーパネルの展開時間を制御するために、カバーパネルは、エアバッグの展開時、所定の張力負荷の下で破砕するように構成された１つまたはそれ以上の固定部を介してエアバッグハウジングに接続してもよい。１つの実施形態では、１つまたはそれ以上の固定部は、ヒートステークであり、その寸法は、エアバッグの展開時、１つまたはそれ以上のヒートステークが所定の張力負荷の下で破砕するように選択される。
【００１８】
別の態様によれば、本発明は、車両ボンネット内に搭載されるエアバッグデバイスに存在し、エアバッグデバイスは、エアバッグハウジングとカバーパネルとを有する。カバーパネルは、エアバッグハウジングから分離され、エアバッグハウジングからのカバーパネルの変位を規制するようにエアバッグハウジングに係留される。したがって好都合にも、エアバッグデバイスは、ボンネット装置から分離される独立型ユニットであり、車両の製造プロセス中に、ボンネット内に組み込むことができる。エアバッグデバイスは、独立型ユニットであるため、交換を必要とするような不具合が生じた場合、ボンネット装置から容易に取り外すことができる。また衝突事象が生じた後、エアバッグデバイスを新しいものに容易に交換することができ、車両が損傷していなければ、ボンネット装置を車両の所定位置に設置することができる。
【００１９】
カバーパネルをエアバッグハウジングにテザーで係留することにより、展開時のカバーパネルの最大の動きおよび向きを制御することができる。カバーパネルは、１つまたはそれ以上のテザーで、前方端部に沿った１つまたはそれ以上の位置でエアバッグハウジングに係留され、かつ後方端部に沿った１つまたはそれ以上の位置でエアバッグハウジングに係留されてもよい。カバーパネルは、前方端部に沿った１つまたはそれ以上の位置でエアバッグハウジングに係留され、かつ１つまたはそれ以上のテザーで、後方端部に沿った１つまたはそれ以上の位置でエアバッグハウジングに係留されてもよい。択一的または追加的に、カバーパネルは、後方端部に沿った１つまたはそれ以上の位置でエアバッグハウジングに係留され、かつ１つまたはそれ以上のテザーで、前方端部に沿った１つまたはそれ以上の位置でエアバッグハウジングに係留されてもよい。展開状態にあるとき、カバーパネルの向きを選択するように、テザーの長さが選択される。たとえば１つの実施形態では、前方端部に沿った１つまたはそれ以上のテザーの長さは、後方端部に沿った１つまたはそれ以上のテザーの長さより短く、展開時のカバーパネルを前方方向に傾斜させる。
【００２０】
別の態様によれば、本発明は、上記説明したようにエアバッグデバイスが搭載される開口部を画定するカバーパネルを有する車両ボンネット装置に存在する。
【００２１】
ねじれ力に対抗するようにボンネット装置を強化するために、横方向に延びるスパーをボンネット装置内に配設してもよく、任意的には、開口部に隣接して配設してもよい。
【００２２】
エアバッグが展開したとき、カバーパネルは、膨張したエアバッグの少なくとも一部の上方に配置されるような位置を採用してもよい。こうした構成は、展開状態にあるとき、エアバッグデバイスの被覆を増大させる。
【００２３】
１つの実施形態では、エアバッグは、第１および第２の外側エアバッグ部の間にある中央エアバッグ部を有する。第１および第２の外側エアバッグ部は、関連車両の各Ａピラー上に拡張し、中央エアバッグ部は、車両ボンネット装置の後方に配置される関連車両のカウル領域を実質的に覆う。エアバッグは、エアバッグハウジング内に梱包するように詰め込む必要があるため、空間効率性を最適化するために、中央エアバッグ部が丸められた形態を有し、第１および第２の外側エアバッグ部が丸められ、折り畳まれた形態を有するように構成される。
【００２４】
エアバッグをテザーシステムの周りに適合させるために、エアバッグは、１つまたはそれ以上のテザーに対応する１つまたはそれ以上のチャンネルを有し、展開状態にあるとき、１つまたはそれ以上のチャンネルが１つまたはそれ以上のテザーを収容してもよい。チャンネルは、中央エアバッグ部と第１および第２の外側エアバッグ部との間の接合部に画定されてもよい。
【００２５】
すなわち別の態様によれば、本発明は、車両ボンネット内に搭載される、エアバッグハウジングとカバーパネルとを含むエアバッグデバイスのためのエアバッグに存在する。カバーパネルは、エアバッグハウジングからのカバーパネルの変位を規制するために、１つまたはそれ以上のテザーを介してエアバッグハウジングに係留され、エアバッグは、１つまたはそれ以上のテザーに対応する１つまたはそれ以上のチャンネル、通路、または凹領域を有し、エアバッグが展開状態にあるとき、１つまたはそれ以上のチャンネル、通路、または凹領域が１つまたはそれ以上のテザーを収容する。
【００２６】
さらなる態様によれば、本発明は、エアバッグ装置のためのエアバッグに存在し、エアバッグは、畳み込まれた状態および畳み込まれていない状態を有し、畳み込まれた状態において、エアバッグは、エアバッグ装置の１つまたはそれ以上のテザーを収容するように機能する１つまたはそれ以上のチャンネル、通路、または凹領域を有する。
【００２７】
本発明に係る第１の態様のさまざまな任意的な特徴が、本発明に係る第２の態様に採用され、同様に、本発明に係る第２の態様のさまざまな任意的な特徴が、本発明に係る第１の態様に採用される。
【００２８】
上記段落、クレーム、および／または以下の明細書および図面に記載されたさまざまな態様、実施形態、具体例、および択一例は、独立してまたは組み合わせて採用することができる。１つの実施形態に関連して説明された特徴は、その特徴が矛盾するものでなければ、すべての実施形態に適用することができる。
【図面の簡単な説明】
【００２９】
添付図面を参照しながら、本発明に係る１つまたはそれ以上の実施形態を単なる具体例として以下説明する。
【図１】非展開状態にある歩行者エアバッグデバイスを含むボンネット装置を搭載した車両の斜視図である。
【図２】展開状態にあるエアバッグデバイスを示す図１の車両の斜視図である。
【図３】車両から分離したエアバッグデバイスの前方斜視図である。
【図４】図３のエアバッグデバイスを下方から見た斜視図である。
【図５】いくつかの構成部品を示すために分解された、図３のエアバッグデバイスの斜視図である。
【図６】別の角度から見た図５と同様のエアバッグデバイスの分解斜視図である。
【図７】いくつかの構成部品を示すために分解された、図６のエアバッグデバイスのカバーパネルの斜視図である。
【図８】ボンネット装置を搭載したエアバッグデバイスを示す上側ボンネットパネルの下側斜視図である。
【図９】下側ボンネットパネルとともに、図４の上側ボンネットパネルの下側斜視図である。
【図１０】ボンネット装置の所定位置に配置されたエアバッグデバイスを示す断面図である。
【図１１】ボンネット装置の所定位置に配置されたエアバッグデバイスを示す断面図である。
【図１２】エアバッグデバイスが展開した状態を示す、図１および図２の車両の前方領域を上から見た平面図である。
【図１３】図１３ａは非展開状態にあるエアバッグデバイスの概略断面図であり、これとの対比で、図１３ｂおよび図１３ｃは、択一的な展開状態にあるエアバッグデバイスの概略断面図である。
【発明を実施するための形態】
【００３０】
図１および図２を参照すると、スポーツ用多目的車すなわちＳＵＶの形態を有する乗用車２は、ボンネット装置４およびウィンドスクリーン６を備え、ウィンドスクリーン６は、ボンネット装置４の後方であって、これとはカウル８を介して分離されている。カウル８は、ウィンドスクリーン６の下方に配置されているため、適当なワイパモータ、および一連のウィンドスクリーンワイパ９を駆動する関連機構を収容する。通常の手法において、ボンネット装置４は、車両２の乗客キャビンの前方部分に配置され、この特別の車両のエンジンルームとして機能し、サスペンション部品等を収容するコンパートメント１２をカバーする。しかしながら、特にミッドエンジン車両およびリアエンジン車両のいくつかの車両では、このような前方コンパートメントは、エンジンルームとしては機能せず、むしろ、たとえば荷物またはスペアタイヤの格納コンパートメントとして機能する。車両２の前方において、車両の先端部または先端表面を形成するバンパまたはフェンダ１４が設けられる。
【００３１】
ボンネット装置４は、歩行者との衝突を制御するための受動的および能動的な手段の両方を提供する。とりわけボンネット装置４は、比較的に大きな第１の衝撃領域２０と、比較的に小さな第２の衝撃領域２２とを有する。
【００３２】
第１の衝撃領域２０は、歩行者との衝突時、エネルギ制御を最適化するために当業者に知られた適当な強度プロファイル（強度形状）、変形可能な領域、吸収材料、および犠牲容量等の第１の衝撃領域に伝わるエネルギを制御するための受動的な手段を備える。第１の衝撃領域は、こうした受動的手段を備えているので、以下において、受動的衝撃領域２０という。
【００３３】
第２の衝撃領域２２は、詳細後述するが、歩行者との衝突時、第２の衝撃領域に伝わるエネルギを制御するための能動的な手段を備える。第２の衝撃領域２２は、以下において、能動的衝撃領域２２という。
【００３４】
車両のバンパ１４は、１つまたはそれ以上の衝突センサ２４を収容し、これらのセンサは、能動的衝撃領域２２の起動を制御するための適当な制御システム（図示せず）に統合される。
【００３５】
図２は、展開状態にある能動的衝撃領域２２を示す。能動的衝撃領域２２は、可動パネル２６を有し、制御システムが事前設定した起動条件が合致した場合、可動パネルはそれ以外のボンネット装置４から分離することができる。図中、能動的衝撃領域２２の可動パネル２６は、ボンネット装置４の周辺上側表面２７から上方に展開し、エアバッグ２８は可動パネル２６の下方から展開していることが図示されている。エアバッグ２８は、車両の制御システムにインターフェイス接続されるインフレータユニット（膨張ユニット、図１および図２では図示せず）により爆発的に（花火のように）展開してもよく、詳細後述するように、エアバッグデバイスの一部を構成するものである。
【００３６】
エアバッグ２８は、通常、Ｕ字状の形態を有し、ボンネット装置４の横方向全体に幅方向に延びる中央エアバッグ部３０と、中央エアバッグ部より大きく、車両２のＡピラー上に延びる第１および第２の外側エアバッグ部３２，３４とを有する。
【００３７】
可動パネル２６は、エアバッグの展開により上方および前方に力を受けるため、可動パネル２６は、エアバッグ２８の少なくとも一部の上方に配置される。したがって、可動パネル２６は、衝突時、歩行者に衝突する衝撃表面として機能する。好都合にも、可動パネル２６は、エアバッグ２８を補完するエネルギ吸収構造体を提供する。衝突時、展開した可動パネル２６に激突した歩行者は、可動パネル２６の長さに沿って可動パネルを変形および湾曲させることにより、衝突時の運動エネルギを消失させることかできる。最初の衝撃の後、衝突時の運動エネルギが可動パネル２６の慣性力を克服し、エアバッグ２８に対抗して下方に移動し始め、移動に伴い、エアバッグを徐々に押し潰す。可動部品２６は、エアバッグ２８の上方に配置されているので、初期的なエネルギ吸収構造体として機能し、エアバックに対する要求が低減される。したがってエアバッグの寸法を低減して、展開時間および梱包空間を低減し、より小さい容量のインフレータを用いることにより重量を軽減し、あるいはインフレータ重量を維持することによりインフレータの容量を増大し、膨張速度を増大することができる。さらに可動パネルは、展開した状態で、その一部がエアバッグを超えて拡張するように構成することができる。このように、上方配置されたパネルを用いることなく、エアバッグを単独で利用する場合に比較すると、より大きな有効衝撃領域を提供することができる。
【００３８】
さらに、ここでは図示されていないが、テザーシステムは、カバーパネルを所定位置に保持し、ボンネット装置から離れる（飛び出す）ことを制限する。カバーパネルおよびテザーシステムは、エアバッグをウィンドスクリーン上の所定位置内に下方へ保持することを支援し、歩行者に対する保護を改善することができる。
【００３９】
図１および図２を参照してボンネット装置４および能動的衝撃領域２２の全体的構成について上記説明したが、能動的衝撃領域２２を提供するボンネット装置４のエアバッグデバイス３６の特徴に焦点を当てて、以下詳細に説明する。この観点において、図３〜図７は、ボンネット装置４から分解したエアバッグデバイス３６のさまざまな図面を示す。全体的には、エアバッグデバイス３６は、３つの主要な構成部品またはアセンブリを有し、すなわちエアバッグハウジング４０、エアバッグユニット４２、およびカバーパネル４４を有する。エアバッグユニット４２は、図１および図２を参照して上記説明したエアバッグ２８を有し、カバーパネル４４は、可動パネル２６を構成することに留意されたい。
【００４０】
エアバッグハウジング４０は、本実施形態では、主として構造的に剛性が高く、加工が容易であるため、金属シートで作製された細長い構造体の形態を有するが、他の材料の私用を排除するものではない。エアバッグハウジング４０は、トラフ状（樋状）の形態を有し、通常、矩形状のトラフまたはチャンネル４６と、チャンネル４６の周囲に延びるフランジ４８とを有する。フランジ４８は、エアバッグデバイス３６をボンネット装置４に固定するための実装ポイントとして機能するが、以下詳述するように、同様にカバーパネル４４をハウジング４０に実装するための実装ポイントとして機能する。
【００４１】
図３および図４に示すように、カバーパネル４４がエアバッグハウジング４０に固定されたとき、チャンネル４６は、その内部にエアバッグユニット４２を完全に収容するように適当な形状を有し、カバーパネル４４がエアバッグユニット４２をチャンネル４６内に封止する。
【００４２】
おそらく図５および図６に最も明確に図示されているように、エアバッグユニット４２も同様に、チャンネル４６の形状とほぼ一致するような細長い形状を有する。これらの図面において、図２に示す展開状態とは対照的に非展開状態にあるときのエアバッグユニット４２を示し、図示のように、エアバッグユニットは、中央エアバッグ部３０と、その両側に配置された第１および第２の外側エアバッグ部３２，３４とを有する。中央エアバッグ部３０は、丸められた形態を有し、その中に供給するインフレータモジュール５０を有する。丸められた形態を有する中央エアバッグ部３０は、膨張時、それより大きな容量を有する第１および第２の外側エアバッグ部３２，３４に接続されている。第１および第２の外側エアバッグ部３２，３４をチャンネル４６内に収容するために、第１および第２の外側エアバッグ部はＺ形状に折り畳まれる。このように中央エアバッグ部３０が丸められた形態を有するとともに、第１および第２の外側エアバッグ部３２，３４が丸められ、折り畳まれた形態を有することにより、比較的に大きな容量のエアバッグをエアバッグハウジング４０の小さいパッケージ容量内に収容することができる。想定されるように、これに限定するものと考えるべきではないが、展開状態にあるエアバッグの全容量は１００〜１２０リットルの範囲になる。必要とされる梱包空間およびエアバッグの必要とされる展開運動エネルギに依存して、他の折り曲げ構成が実施可能である。
【００４３】
インフレータモジュール５０は、エアバッグユニット４２をエアバッグハウジング４０に確実に取り付けることができるようにハードポイント（重量強化点）として機能する。この目的のため、インフレータモジュール５０は、ボルト４９等の機械式の固定部品を用いてエアバッグハウジング４０の壁部に実装できる実装ブラケット５１を有する。エアバッグユニット４２は、外側エアバッグ部３２，３４上のバックルポイント５３において、エアバッグハウジング４０に固定される。追加的なバックルポイント５３は、エアバッグユニット４２が、広く離間した配置ホール５３ａでエアバッグハウジング４０に固定され、実装ブラケット５１の中央部分を補足し、展開時、エアバッグユニット４２の両端部を保持するように機能する。
【００４４】
図面には示されていないが、インフレータモジュール５０は、その起動を制御するために、インフレータモジュールを車両制御システムに接続するワイヤ治具等の適当な制御インターフェイスを有する。
【００４５】
上記説明したように、エアバッグユニット４２は、エアバッグハウジング４０内であって、ボンネット装置４の外側可視表面（外側表皮面）として機能するとともに、歩行者との衝突時、エネルギ吸収構造体として機能するカバーパネル４４により囲まれている。したがってカバーパネル４４は、効率的に衝撃を吸収するのに十分な剛性を与え、外的な環境条件に対して頑健であり、かつ実装される車両の適当な審美的表面を提供するように機械的な特性を適当に調整（ブレンド）する必要がある。そのためカバーパネル４４は、図６および図７に特に明確に示すように複数部品の構造体を有する。
【００４６】
概観すると、カバーパネル４４は、外側部品５２、キャリア部品５４、および強化部品５６を有する。これら３つの部品は、一体に連結され、エアバッグデバイス３６の適度な剛性、環境耐性、および外見上美しい外側表面を形成する。
【００４７】
本実施形態では、外側部品５２およびキャリア部品５４はポリマであり、強化部品５６は金属である。外側部品５２およびキャリア部品５４の好適な材料は、とりわけ約８５℃〜約−３０℃の広範な温度範囲（ただし、その他の広範な温度範囲も想定される。）において高い衝撃強度を有するため、たとえばＰＣ−ＡＢＳである。想定されるように、強化部品は、チタニウムまたはスチール等の他の材料も同様に用いることができるが、主にコストおよび強度特性ならびに重量特性の観点からアルミニウム合金の圧延シートである。
【００４８】
キャリア部品５４は、外側部品５２の平面プロファイル（平面形状）に合致するようなほぼ矩形の形状を有する。しかしながら、キャリア部品５４は、対応した形状を有する隆起中央領域６０とほぼ位置合わせされた重量削減手段として細長い開口部５８を画定する。隆起中央領域６０は、エアバッグハウジング４０の内部であって、エアバッグユニット４２のためのカバーパネル４４の下方に可能な限り大容量を提供し、強化部品に剛性を与えるものである。キャリア部品５４は、エアバッグハウジング４０内の空間を最大化する細長い開口部内に隆起中央領域６０が収まるような深さを有する。
【００４９】
強化部品５６は、外側フランジ領域６２を有し、外側フランジ領域は、複数の実装ポイント６３（明確にするために、図７ではいくつかの実装ポイントのみを図示している。）を含み、各実装ポイントに、キャリア部品５４の下側表面に設けたステーク（杭）６４が挿入されている。生産時、ステーク６４は、湾曲させるために部分的に加熱した後、冷却して強化部品５６をキャリア部品５４に固定する。択一的には、強化部品５６をキャリア部品５４に狭持させてもよい。
【００５０】
「ヒートステーク」を用いて、キャリア部品５４と強化部品５６が結合される一方、キャリア部品５４の上側表面に設けた接合手段を用いて、外側部品５２がキャリア部品５４に接着接合される。特に図７を参照すると、接合手段は、第１の接合トラック６６を有し、第１の接合トラックは、キャリア部品５４の外縁部の周りに延びる実質的に連続したビード状接着化合物の形態を有する。同様に接合手段は、第２の接合トラック６６を有し、第２の接合トラックは、実質的に連続的なビード状接着化合物の形態を有するが、キャリア部品５４の細長い開口部５８の外縁部の周りに延び、第１の接合トラック６６に比して半径方向内側に配置される。
【００５１】
キャリア部品５４の上側表面は、外側部品５２との間隔を制御し、接着剤の厚みを制御するためのリブまたはピップ６９の形態を有するスペーサ部品６９を備える。また強化部品５６は、スペーサ部品６５（図１０に図示）を有し、スペーサ部品６５は、隆起中央領域６０の上側表面に接合されたリブの形態を有し、振動減衰手段として外側部品５２の下側表面に当接する。分かり易くするために、いくつかのスペーサ部品６５，６９のみが符号をもって図示されていることに留意されたい。ここでキャリア部品５４のスペーサ部品６９は、環状本体部上に設けられているため、キャリア部品の環状形状に起因して、キャリア部品の幅全体にわたって延びていない。しかしながら、キャリア部品５４のスペーサ部品６９および強化部品５６のスペーサ部品６５は、機能的に組み合わされて、外側部品５２を補強し、キャリア部品５４と強化部品５６が互いに対抗してアセンブリ全体の振動減衰、強度、および梱包空間を提供する。
【００５２】
任意の適当な接着剤として高強度エポキシ接着剤等を用いることができるが、特定に適したものとして現在考えられている接着剤は、適当なエンジニアリンググレードのエポキシ接着剤か、または剥離することなく衝撃力に耐え、広範な温度範囲において接合状態を維持することができるホットメルト式ポリウレタン反応型接着剤である。
【００５３】
外側接合トラック６６および内側接合トラック６８により、外側部品５２は、キャリア部品５４に確実に接合することができ、カバー部品５４の下側表面上に設けたスタッドやヒートステーク等の機械式固定手段を用いる必要性を排除することができる。モールド成形されたカバー部品は、機械式固定部品を外側部品内に一体成形することにより生じ得る表面欠陥をなくすことができる。したがって外側部品は、さらなる表面仕上げ処理を行なうことなく、車両の審美的な外装面として好適に利用することができる。連続的なビード状接着剤について上記説明したが、複数の個別のポイント状接着剤も同様に利用できる。ただし連続的なビード状接着剤を用いると、高温環境下において特に頑健性を増大させることができる。実質的に連続的なビード状接着剤は、高い衝撃力および高い温度条件を最も高い可能性で満足させる、広範で均一に分布した接合領域に供給できると考えられる。
【００５４】
キャリア部品５４は、外側部品５２のための実装構造体であることに加え、エアバッグハウジング４０に固定されるカバーパネル４４のための実装手段を提供する。この目的のために、図４、図６、および図１０に最も明確に図示されているが、キャリア部品５４の下側部分には、配置ポスト７０および一連の機械式固定部７１が設けられている。
【００５５】
この実施形態では、３つの配置ポスト７０（必要ならば、それ以上またはそれ以下の配置ポスト）がキャリア部品５４の前方端部５４ａから下方に延びている。配置ポスト７０はそれぞれ、エアバッグハウジング４０のフランジに設けた各開口部７２に受容可能であり、第１に、エアバッグハウジング４０上のキャリア部品５４を配置するように機能し、第２に、後述するように、エアバッグハウジング４０をボンネット装置４内に固定するための配置特徴部品を提供する。
【００５６】
キャリア部品５４の下側部品の周囲の複数の位置において、機械式固定部品７１（図面を明確にするために、いくつかの機械式固定部品のみを図示している。）が配置され、この実施形態では、機械式固定部品は、キャリア部品５４のモールド成形本体部の一体部品であるヒートステークの形態を有する。エアバッグハウジング４０に対するヒートステーク７１の配置位置が図１０に図示されている。ここでエアバッグデバイス３６は、カバーパネル４４をエアバッグハウジング４０に固定するために、ヒートステーク７１を部分的に加熱することにより変形させてアセンブリされた状態を示す。アセンブリ状態に至る前、ヒートステーク７１は、キャリア部品５４から垂れ下がり、フランジ４８に設けた対応する開口部７１ａを貫通して延びる細長いボスである。ヒートステーク７１は、アセンブリ段階では、開口部７１ａを貫通して適合するように小型に形成されている。しかしアセンブリしているときには、ヒートステーク７１は、開口部７１ａに適合するように拡張するように加熱および圧縮されて、ヒートステーク７１のベース部７１ｃ上にヘッド部７１ｂを形成して、キャリア部品５４をエアバッグハウジング４０上に固定する。ヒートステーク手法は、迅速な接合技術であり、溶接等の他の接合技術と比較すると経済的（安価）である。しかし、溶接も同様に利用することができ、さらに局部的に加熱することなく、ステーク７１を冷温形成することもできる。ヒートステーク７１は、エアバッグユニット４２が展開した時、破砕して、カバーパネル４４がエアバッグハウジング４０から分離するように構成され、ヒートステークの壁部の厚みは、それに応じて選択される。ここでは、ヘッド部７１ｂとベース部７１ｃとの間の接合部がヒートステーク７１の脆弱領域であるから、ヘッド部７１ｂは、ベース部７１ｃからポキンと（容易に）折れる。脆弱領域は、接合部における材料厚みの機能を有し、現在のところ、たとえば約０．５ｍｍであると想定されている。ステークの最小厚みは、モールド成形容量に多少とも影響を受けるので、任意的には、接合部は展開力を適当に調整できる穿孔を含んでもよい。この文脈において、こうしたステーク７１は、破砕するために８００Ｎ程度の力を必要とするものであってもよい。
【００５７】
同様に、図１０は、エアバッグハウジング４０およびボンネット装置４に対する、キャリア部品５４の配置ポスト７０の配置位置を示す。ここでは、配置ポスト７０（図１０では、ただ１つの配置ポストを図示している。）は、エアバッグハウジング４０のフランジ４８およびボンネット装置４の外側パネル７６ならびに内側パネル７８を貫通して延びている。この図に示すように、外側部品５２の下側部分は、キャリア部品５４の配置ポスト７０と位置合わせされた低プロファイルペグ７５を有する。これは、接合プロセスを実施する前に、外側部品５２をキャリア部品５４上に配置することを支援するものである。
【００５８】
ボンネット装置４の製造時、エアバッグハウジング４０は、図８から明らかなように、外側ボンネットパネル７６の後方端部７９に隣接して形成された開口部７７に取り付けられる。ここで、エアバッグハウジング４０が開口部７７内に配置され、外側ボンネットパネル７６の下側部分が図示されている。ボルト等の適当な機械式固定部を用いて永続的に固定する前に、配置ポスト７０により、エアバッグハウジング４０を正しい位置に配置することができる。一連の「３次クリップ」７３がエアバッグハウジング４０のフランジの下側表面上に配設される。クリップ７３は、返し（戻り）の形状を有するペグまたはポストの形態を有する。エアバッグデバイス３６を実装するとき、クリップ７３は、外側ボンネットパネル７６に設けた適当な開口部（図示せず）に係合し、エアバッグハウジング４０を下方に永続的にボルト締めする前に、エアバッグハウジング４０を一時的に所定位置に固定するように機能する。ここでは図示されていないが、配置ポスト７０は、必要ならば返し（戻り）の形態を有してもよい。
【００５９】
同様に図８に示すように、アルミニウムまたはスチール等の圧延金属からなる横方向スパー（けた）８０の形態を有する支持手段が、構造的な剛性を増大させて、開口部７７の領域における外側ボンネットパネル７６を補強するために、スポット溶接または他の適当な技術を用いて、外側ボンネットパネル７６の下側表面に固定される。
【００６０】
図９は、完全にアセンブリされたボンネット装置４の下側部分を示し、内側ボンネットパネル７８は外側ボンネットパネル７６に固定され、内側ボンネットパネルと外側ボンネットパネルの間に形成されたキャビティ内にエアバッグハウジング４０を包囲している。キャビティは図１０に示す。
【００６１】
上記説明から理解されるように、エアバッグユニット４２が展開すると、カバーパネル４４は、エアバッグハウジング４０から展開することができる。カバーパネル４４の動きを制御するために、エアバッグデバイス３６はテザーシステムを有し、特に図５、図１１、図１２、および図１３ａ〜図１３ｃを参照してテザーシステムについて以下説明する。
【００６２】
テザーシステムの目的は、カバーパネル４４がエアバッグハウジング４０から離れるときの動き（変位）を制御することであるが、同様に、カバーパネル４４の向きを制御して、歩行者との衝突に備えてカバーパネル４４を最適な方向に仕向けることである。
【００６３】
図５を参照すると、テザーシステムは、一連の前方テザー９０と、一連の後方テザー９２と有する。テザーのためのさまざまな材料が適当であるが、この実施形態に係るテザーは、エアバッグ用布地として用いられた、ナイロン織地またはポリエステル織地からなる平坦なリボン状のウェビング（テープ状生地）で形成された袋（セクション）である。こうしたウェビング材料は、きわめて大きい張力強度を有し、リボン状形状を有するため、エアバッグハウジング４０内に効率的に梱包（パッケージ）される。ただし原則的には、理解されるように、コード、ロープ、またはチェイン等の大きな張力強度を有する任意のフレキシブル材料が適当である。
【００６４】
一連の前方テザー９０は、エアバッグハウジング４０のフランジ４８の前方端部４８ａに沿って互いに離間する第１および第２のテザーを有する。各前方テザー９０の内側端部９０ａは、本実施形態ではテザーを確実に受容する固定眼の形態を有するが、適当な機械式アンカポイント９４でフランジ４８に固定される。本実施形態では、図１１に示すように、固定眼９０ａは、エアバッグハウジング４０にボルト締めされる。
【００６５】
前方テザー９０の他方の端部９０ｂは、留め具（クラスプ）９８の形態を有する固定手段を担持し、留め具はカバーパネル４４のキャリア部品５４の下側表面に固定される。図５では、固定されていない状態の留め具９８が図示されているが、図１１では、キャリア部品５４内の所定位置に固定された留め具９８が図示されている。
【００６６】
同様に、一連の後方テザー９２は、エアバッグハウジング４０のフランジ４８の後方端部４８ｂに沿って互いに離間する第１および第２のテザーを有する。各後方テザー９２の内側端部９２ａは、前方テザー９０と同様の固定眼の形態を有するが、適当な機械式アンカポイント９６でフランジ４８に固定され、各後方テザー９２の外側端部９２ｂはそれぞれ、留め具（クラスプ）９９を担持し、留め具はキャリア部品５４の下側表面に固定される。
【００６７】
したがって、テザーシステムは、前方端部および後方端部に沿って２つのポイントでカバーパネル４４を支持する。このように展開したときのカバーパネルの展開高さを制御することができるように、４つのテザーを各端部に２つずつ配置して、カバーパネルの四分の一をそれぞれ支持する。各端部の２つのテザーは、現在のところ、必要な支持力をカバーパネル４４に与えるために十分であると考えられるが、必要ならば、たとえばより位置安定性が要求される場合、より数多い、またはより数少ないテザーを配置してもよい。カバーパネル４４の高さは、テザーの長さを選択することにより特定される。たとえば、展開時、カバーパネル４４が前方傾斜した（前方がより低い状態で傾斜した）高度を与えるために、前方テザー９０の長さは、後方テザー９２より短くなるように選択される。
【００６８】
これを解説するために、まず図１３ａを参照すると、カバーパネル４４は、非展開状態にあることを示し、前方テザー９０および後方テザー９２は、エアバッグハウジング４０に収容されて弛緩状態にある。図１３ａは、エアバッグハウジング４０のほぼ中央を貫通する垂直面で切断した断面図であり、前方テザー９０および後方テザー９２は、面外位置を表すために破線で図示されている。このとき、前方テザー９０の長さは、後方テザー９２の長さより短くすることにより、展開時のエアバッグハウジング４０およびエアバッグ２８に対するカバーパネル４４の位置を調整する。この点において、図１３ｂを図１３ａと比較すると、エアバッグ２８が展開して、カバーパネル４４がエアバッグハウジング４０から分離していることが図示されている。エアバッグ２８は、カバーパネル４４の下方で膨張して、後方に拡張する。前方テザー９０および後方テザー９２の長さは、カバーパネル４４の上方への動きを規制し、カバーパネル４４は、エアバッグ２８の上部（頂部）上にあり、前方テザー９０および後方テザー９２の長さが異なることから、カバーパネル４４が前方傾斜する。
【００６９】
図１３ｂの断面図において、後方テザー９２は、エアバッグ２８の本体部を貫通するように図示されていることに留意されたい。しかし、図１２を参照すると、エアバッグ２８が膨張した時、各後方テザー９２は、エアバッグ２８の後方側に配置された各テザーチャンネル１００内に配置されている。これにより、第１に、後方テザー９２がエアバッグ２８の膨張に悪影響を与えることがなく、第２に、エアバッグ２８の膨張がカバーパネル４４の展開に悪影響を与えることがない。テザーチャンネル１００は、中央エアバッグ部３０と第１および第２の外側エアバッグ部３２，３４との間の接合部で画定され、テザーチャンネル１００が本質的に中央エアバッグ部３０と第１および第２の外側エアバッグ部３２，３４との間の接合部で画定されることに留意されたい。
【００７０】
図１３ｂの実施形態において、同様に図１２に示すように、カバーパネル４４がエアバッグ２８の上部（頂部）上に実質的にあるように図示されている。このとき、エアバッグ２８は、カバーパネル４４の後方端部を多少なりとも超えて延び、車両のウィンドスクリーンのベース部の上方を保護する。
【００７１】
図１３ｃは、カバーパネル４４およびエアバッグ２８の択一的な配置位置を示す。この実施形態では、図１３ｂと比較すると、エアバッグユニット４２の展開時、カバーパネル４４が上方および後方に力を受けるように、前方テザー９０および後方テザー９２の長さが調整されている。エアバッグ２８は、カバーパネル４４よりいくぶん前方に拡張し、カバーパネル４４の前方端部は、エアバッグ２８の上に配置される。好都合にも、この実施形態において、カバーパネル４４とエアバッグ２８とはあまり重ならず、より広い保護面積がエアバッグデバイス３６により提供される。カバーパネル４４は、図１３ｂに示すものより高い位置に達し、保護を改善することができる。図１３ｃには図示されていないが、外側エアバッグ３２，３４は、中央領域およびカバーパネル４４の後方端部を支持する。このときカバーパネル４４は、エアバッグの湾曲した周縁部より高く浮遊し、カバーパネルが保護する深さを改善する（増大させる）。任意的には、カバーパネル４４の前方領域に向けて固定された１つまたはそれ以上の追加的なテザー１０２を設けてもよい。展開時、エアバッグ２８は、追加的なテザー１０２に対して押圧し、追加的なテザー１０２は、カバーパネル４４を後方へ付勢する。テザー装置に依存するが、図１３ｃに示すように、テザーチャンネル１００をエアバッグの前方サイドで用いてもよい。
【００７２】
しかしながら、エアバッグの前方部分内でテザーチャンネルを構成することが実務的でない状況において、前方テザーをより長くして、エアバッグの前方部分の周りで膨張させるか、むしろカバーパネルの前方端部および後方端部に安定性を与えるように後方テザーに依拠して、前方テザーを省略することができる。
【００７３】
ストラップの形態を有するテザーは、展開時、カバーパネルをエアバッグハウジングに固定する手段として上記説明したが、エアバッグに対するカバーパネルの相対的な位置を制御するための択一的な手段（図示せず）が、カバーパネルをエアバッグの一部に固定することができる。
【００７４】
本願明細書は、さまざまな実施形態に係るエアバッグデバイス３６について上記説明した。当業者ならば理解されるように、ここに記載された実施形態は単なる具体例であり、その具体例において本発明に係る特定の態様を実現することができ、本発明を具現化できるすべての方法に関する網羅的に説明したものではない。また特徴物は、必ずしも実寸通りではなく、特定の構成要素を注目するため、いくつかの特徴物は、誇張して、または最小限に記載されている。記載された実施形態が不明確になることを防止するために、広く知られた構成部品、材料、または方法は、必ずしも詳細には記載されていない。疑義を解消するため、構造的または機能的な詳細は限定するものと解釈すべきではなく、むしろクレームの基礎を提供するものである。さらに「前方」、「後方」、「上方」、「下方」、「上側」、「下側」、「外側」、および「内側」等の用語は、図面の方向に関連して用いられたものであり、これらの用語は、本発明の概念の範囲を制限するものと解釈すべきではない。
【００７５】
本発明に係るさらなる態様は、番号が付された以下の段落に記載されている。
【００７６】
段落１：
車両ボンネット内に搭載されるエアバッグデバイスであって、
エアバッグと展開可能なカバーパネルとを含むエアバッグハウジングを有し、
カバーパネルは、キャリア部品に接続された外側部品を有し、
キャリア部品は、エアバッグハウジングに接続され、エアバッグが膨張したとき、エアバッグハウジングから分離するように構成された、エアバッグデバイス。
【００７７】
段落２：
外側部品は、キャリア部品に接着接合された、段落１に記載のエアバッグデバイス。
【００７８】
段落３：
外側部品は、キャリア部品の周縁部の周りで接着接合された、段落２に記載のエアバッグデバイス。
【００７９】
段落４：
外側部品は、実質的に連続的なビード状接合化合物により、キャリア部品の周縁部の周りで接着接合された、段落３に記載のエアバッグデバイス。
【００８０】
段落５：
外側部品は、ポリマ製である、段落１に記載のエアバッグデバイス。
【００８１】
段落６：
キャリア部品は、ポリマ製である、段落１に記載のエアバッグデバイス。
【００８２】
段落７：
キャリア部品は、これに固定された強化部品を有する、段落１に記載のエアバッグデバイス。
【００８３】
段落８：
強化部品は金属である、段落７に記載のエアバッグデバイス。
【００８４】
段落９：
カバーパネルがエアバッグハウジングから展開することができる距離を規制するために、カバーパネルに固定された１つまたはそれ以上のテザーを有する、段落１に記載のエアバッグデバイス。
【００８５】
段落１０：
展開状態にあるとき、カバーパネルの位置および向きを制御するように、テザーの長さが選択される、段落９に記載のエアバッグデバイス。
【００８６】
段落１１：
カバーパネルのキャリア部品に固定された１つまたはそれ以上のテザーを有する、段落９に記載のエアバッグデバイス。
【００８７】
段落１２：
カバーパネルは、エアバッグハウジングの前方端部および後方端部に対応する前方端部および後方端部を有し、
カバーパネルは、前方端部に沿った１つまたはそれ以上のテザーによりエアバッグハウジングに係留される、段落９に記載のエアバッグデバイス。
【００８８】
段落１３：
カバーパネルは、後方端部に沿った１つまたはそれ以上のテザーによりエアバッグハウジングに係留される、段落１２に記載のエアバッグデバイス。
【００８９】
段落１４：
前方端部に沿った１つまたはそれ以上のテザーの長さは、後方端部に沿った１つまたはそれ以上のテザーの長さより短い、段落１３に記載のエアバッグデバイス。
【００９０】
段落１５：
カバーパネルは、その前方端部に沿った１つまたはそれ以上の位置において、１つまたはそれ以上のテザーを用いて、エアバッグハウジングの１つまたはそれ以上の位置で係留される、段落１２に記載のエアバッグデバイス。
【００９１】
段落１６：
カバーパネルは、エアバッグの展開時、所定の張力負荷の下で破砕するように構成された１つまたはそれ以上の固定部を介してエアバッグハウジングに接続される、段落１に記載のエアバッグデバイス。
【００９２】
段落１７：
１つまたはそれ以上の固定部は、ヒートステークであり、その寸法は、エアバッグの展開時、１つまたはそれ以上のヒートステークが所定の張力負荷の下で破砕するように選択された、段落１６に記載のエアバッグデバイス。
【００９３】
段落１８：
車両ボンネット内に搭載されるエアバッグデバイスであって、
エアバッグハウジングとカバーパネルとを有し、
カバーパネルは、エアバッグハウジングから分離され、エアバッグハウジングからのカバーパネルの動きを規制するようにエアバッグハウジングに係留される、エアバッグデバイス。
【００９４】
段落１９：
カバーパネルは、エアバッグハウジングの前方端部および後方端部に対応する前方端部および後方端部を有し、
カバーパネルは、前方端部に沿った１つまたはそれ以上の位置でエアバッグハウジングに係留される、段落１８に記載のエアバッグデバイス。
【００９５】
段落２０：
カバーパネルは、前方端部に沿った１つまたはそれ以上の位置でエアバッグハウジングに１つまたはそれ以上のテザーを介して係留される、段落１９に記載のエアバッグデバイス。
【００９６】
段落２１：
前方端部に沿った１つまたはそれ以上のテザーの長さは、後方端部に沿った１つまたはそれ以上のテザーの長さより短い、段落２０に記載のエアバッグデバイス。
【００９７】
段落２２：
カバーパネルは、その前方端部に沿った１つまたはそれ以上の位置において、１つまたはそれ以上のテザーを用いて、エアバッグハウジングの１つまたはそれ以上の位置で係留される、段落１９に記載のエアバッグデバイス。
【００９８】
段落２３：
１つまたはそれ以上のテザーの長さは、展開状態にあるカバーパネルの位置および向きを制御するように選択される、段落１９に記載のエアバッグデバイス。
【００９９】
段落２４：
カバーパネルは、エアバッグの展開時、所定の負荷の下で破砕するように構成された１つまたはそれ以上の固定部を介してエアバッグハウジングに固定される、段落１８に記載のエアバッグデバイス。
【０１００】
段落２５：
１つまたはそれ以上の固定部は、ヒートステークであり、その寸法は、エアバッグの展開時、１つまたはそれ以上のヒートステークが所定の張力負荷の下で破砕するように選択された、段落２４に記載のエアバッグデバイス。
【０１０１】
段落２６：
カバーパネルは、エアバッグデバイスが搭載されるボンネットの表皮面を画定する外側部品と、外側部品に固定されるキャリア部品とを有する、段落１８に記載のエアバッグデバイス。
【０１０２】
段落２７：
キャリア部品は、外側部品より高い剛性を有する、段落２６に記載のエアバッグデバイス。
【０１０３】
段落２８：
外側部品は、キャリア部品に接着接合される、段落２６に記載のエアバッグデバイス。
【０１０４】
段落２９：
外側部品は、キャリア部品の周縁部に接着接合される、段落２８に記載のエアバッグデバイス。
【０１０５】
段落３０：
外側部品は、実質的に連続したビード状接合化合物を用いて、キャリア部品の周縁部に接着接合される、段落２８に記載のエアバッグデバイス。
【０１０６】
段落３１：
外側部品は、ポリマ製である、段落２６に記載のエアバッグデバイス。
【０１０７】
段落３２：
キャリア部品は、ポリマ製である、段落２６に記載のエアバッグデバイス。
【０１０８】
段落３３：
キャリア部品は、これに固定された強化部品を有する、段落２６に記載のエアバッグデバイス。
【０１０９】
段落３４：
強化部品は金属である、段落３３に記載のエアバッグデバイス。
【０１１０】
段落３５：
エアバッグは、第１および第２の外側エアバッグ部の間にある中央エアバッグ部を有し、展開状態にあるとき、第１および第２の外側エアバッグ部は、中央エアバッグ部を超えて拡張する、段落１８に記載のエアバッグデバイス。
【０１１１】
段落３６：
非展開状態にあるとき、中央エアバッグ部が丸められた形態を有するとともに、第１および第２の外側エアバッグ部が丸められ、折り畳まれた形態を有する、段落３５に記載のエアバッグデバイス。
【０１１２】
段落３７：
エアバッグは、１つまたはそれ以上のテザーに対応する１つまたはそれ以上のチャンネルを有し、
展開状態にあるとき、１つまたはそれ以上のチャンネルが１つまたはそれ以上のテザーを収容する、段落１９を引用する段落３５に記載のエアバッグデバイス。
【０１１３】
段落３８：
１つまたはそれ以上のチャンネルは、中央エアバッグ部と第１および第２の外側エアバッグ部との間の接合部に画定される、段落３７に記載のエアバッグデバイス。
【０１１４】
段落３９：
段落１に記載のエアバッグデバイスが実装される開口部を画定するパネルを有する車両ボンネット装置。
【０１１５】
段落４０：
車両ボンネット装置のカバーパネルは、ねじり力に対抗して車両ボンネット装置を強化するように開口部に隣接した横方向スパー（けた）を有する、段落３９に記載の車両ボンネット装置。
【０１１６】
段落４１：
エアバッグは、第１および第２の外側エアバッグ部の間にある中央エアバッグ部を有し、展開状態にあるとき、第１および第２の外側エアバッグ部は、関連車両の各Ａピラー上に拡張し、中央エアバッグ部は、車両ボンネット装置の後方に配置される関連車両のカウル領域を実質的に覆う、段落３９に記載の車両ボンネット装置。
【０１１７】
段落４２：
非展開状態にあるとき、中央エアバッグ部が丸められた形態を有するとともに、第１および第２の外側エアバッグ部が丸められ、折り畳まれた形態を有する、段落４１に記載の車両ボンネット装置。
【０１１８】
段落４３：
エアバッグは、１つまたはそれ以上のテザーに対応する１つまたはそれ以上のチャンネルを有し、
エアバッグが展開状態にあるとき、１つまたはそれ以上のチャンネルが１つまたはそれ以上のテザーを収容する、段落４１に記載の車両ボンネット装置。
【０１１９】
段落４４：
段落３９に記載の車両ボンネット装置を搭載した車両。
【０１２０】
段落４５：
段落１に記載のエアバッグデバイスを搭載した車両。
【符号の説明】
【０１２１】
２…乗用車、４…ボンネット装置、６…ウィンドスクリーン、８…カウル、９…ウィンドスクリーンワイパ、１２…コンパートメント、１４…バンパ（フェンダ）、２０…第１の衝撃領域（受動的衝撃領域）、２２…第２の衝撃領域（能動的衝撃領域）、２４…衝突センサ、２６…可動パネル、２７…上側表面、２８…エアバッグ、３０…中央エアバッグ部、３２，３４…外側エアバッグ部、３６…エアバッグデバイス、４０…エアバッグハウジング、４２…エアバッグユニット、４４…カバーパネル、４６…トラフ（チャンネル）、４８…フランジ、４９…ボルト、５０…インフレータモジュール、５１…実装ブラケット、５２…外側部品、５３…バックルポイント、５４…キャリア部品、５６…強化部品、５８…細長い開口部、６０…隆起中央領域、６２…外側フランジ領域、６３…実装ポイント、６４…ステーク（杭）、６５…スペーサ部品、６６…外側接合トラック、６８…内側接合トラック、６９…リブ（ピップ）、７０…配置ポスト、７１…機械式固定部、７２…開口部、７３…クリップ、７５…ペグ、７６…外側パネル、７８…内側パネル、８０…横方向スパー（けた）、９０…前方テザー、９０ａ，９０ｂ…端部、９２…後方テザー、９２ａ，９２ｂ…端部、９６…アンカポイント、９８…留め具（クラスプ）、１０２…追加的テザー。
【図１】
2016525483.tif 000003
【図２】
2016525483.tif 000004
【図３】
2016525483.tif 000005
【図４】
2016525483.tif 000006
【図５】
2016525483.tif 000007
【図６】
2016525483.tif 000008
【図７】
2016525483.tif 000009
【図８】
2016525483.tif 000010
【図９】
2016525483.tif 000011
【図１０】
2016525483.tif 000012
【図１１】
2016525483.tif 000013
【図１２】
2016525483.tif 000014
【図１３ａ】
2016525483.tif 000015
【図１３ｂ】
2016525483.tif 000016
【図１３ｃ】
2016525483.tif 000017
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
車両ボンネット内に搭載されるエアバッグデバイスであって、
エアバッグと展開可能なカバーパネルとを含むエアバッグハウジングを有し、
カバーパネルは、キャリア部品に接続された外側部品を有し、
キャリア部品は、エアバッグハウジングに接続され、エアバッグが膨張したとき、エアバッグハウジングから分離するように構成されたことを特徴とするエアバッグデバイス。
【請求項２】
外側部品は、キャリア部品に接着接合されたことを特徴とする請求項１に記載のエアバッグデバイス。
【請求項３】
外側部品は、キャリア部品の周縁部の周りで接着接合されたことを特徴とする請求項２に記載のエアバッグデバイス。
【請求項４】
外側部品は、実質的に連続的なビード状接合化合物により、キャリア部品の周縁部の周りで接着接合されたことを特徴とする請求項３に記載のエアバッグデバイス。
【請求項５】
外側部品は、ポリマ製であることを特徴とする請求項１〜４のいずれか１に記載のエアバッグデバイス。
【請求項６】
キャリア部品は、ポリマ製であることを特徴とする請求項１〜５のいずれか１に記載のエアバッグデバイス。
【請求項７】
キャリア部品は、これに固定された強化部品を有する、請求項１〜６のいずれか１に記載のエアバッグデバイス。
【請求項８】
強化部品は金属であることを特徴とする請求項７に記載のエアバッグデバイス。
【請求項９】
カバーパネルがエアバッグハウジングから展開することができる距離を規制するために、カバーパネルに固定された１つまたはそれ以上のテザーを有することを特徴とする請求項１〜８のいずれか１に記載のエアバッグデバイス。
【請求項１０】
展開状態にあるとき、カバーパネルの位置および向きを制御するように、テザーの長さが選択されることを特徴とする請求項１〜９のいずれか１に記載のエアバッグデバイス。
【請求項１１】
カバーパネルのキャリア部品に固定された１つまたはそれ以上のテザーを有することを特徴とする請求項９に記載のエアバッグデバイス。
【請求項１２】
カバーパネルは、エアバッグハウジングの前方端部および後方端部に対応する前方端部および後方端部を有し、
カバーパネルは、前方端部に沿った１つまたはそれ以上のテザーによりエアバッグハウジングに係留されることを特徴とする請求項９〜１１のいずれか１に記載のエアバッグデバイス。
【請求項１３】
カバーパネルは、後方端部に沿った１つまたはそれ以上のテザーによりエアバッグハウジングに係留されることを特徴とする請求項１２に記載のエアバッグデバイス。
【請求項１４】
前方端部に沿った１つまたはそれ以上のテザーの長さは、後方端部に沿った１つまたはそれ以上のテザーの長さより短いことを特徴とする請求項１３に記載のエアバッグデバイス。
【請求項１５】
カバーパネルは、その前方端部に沿った１つまたはそれ以上の位置において、１つまたはそれ以上のテザーを用いて、エアバッグハウジングの１つまたはそれ以上の位置で係留されることを特徴とする請求項１２〜１４のいずれか１に記載のエアバッグデバイス。
【請求項１６】
カバーパネルは、エアバッグの展開時、所定の張力負荷の下で破砕するように構成された１つまたはそれ以上の固定部を介してエアバッグハウジングに接続されることを特徴とする請求項１〜１５のいずれか１に記載のエアバッグデバイス。
【請求項１７】
１つまたはそれ以上の固定部は、ヒートステークであり、その寸法は、エアバッグの展開時、１つまたはそれ以上のヒートステークが所定の張力負荷の下で破砕するように選択されたことを特徴とする請求項１６に記載のエアバッグデバイス。
【請求項１８】
車両ボンネット内に搭載されるエアバッグデバイスであって、
エアバッグハウジングとカバーパネルとを有し、
カバーパネルは、エアバッグハウジングから分離され、エアバッグハウジングからのカバーパネルの動きを規制するようにエアバッグハウジングに係留されることを特徴とするエアバッグデバイス。
【請求項１９】
カバーパネルは、エアバッグハウジングの前方端部および後方端部に対応する前方端部および後方端部を有し、
カバーパネルは、前方端部に沿った１つまたはそれ以上の位置でエアバッグハウジングに係留されることを特徴とする請求項１８に記載のエアバッグデバイス。
【請求項２０】
カバーパネルは、前方端部に沿った１つまたはそれ以上の位置でエアバッグハウジングに１つまたはそれ以上のテザーを介して係留されることを特徴とする請求項１９に記載のエアバッグデバイス。
【請求項２１】
前方端部に沿った１つまたはそれ以上のテザーの長さは、後方端部に沿った１つまたはそれ以上のテザーの長さより短いことを特徴とする請求項２０に記載のエアバッグデバイス。
【請求項２２】
カバーパネルは、その前方端部に沿った１つまたはそれ以上の位置において、１つまたはそれ以上のテザーを用いて、エアバッグハウジングの１つまたはそれ以上の位置で係留されることを特徴とする請求項１９〜２１のいずれか１に記載のエアバッグデバイス。
【請求項２３】
１つまたはそれ以上のテザーの長さは、展開状態にあるカバーパネルの位置および向きを制御するように選択されることを特徴とする請求項１９〜２２のいずれか１に記載のエアバッグデバイス。
【請求項２４】
カバーパネルは、エアバッグの展開時、所定の負荷の下で破砕するように構成された１つまたはそれ以上の固定部を介してエアバッグハウジングに固定されることを特徴とする請求項１８〜２３のいずれか１に記載のエアバッグデバイス。
【請求項２５】
１つまたはそれ以上の固定部は、ヒートステークであり、その寸法は、エアバッグの展開時、１つまたはそれ以上のヒートステークが所定の張力負荷の下で破砕するように選択されたことを特徴とする請求項２４に記載のエアバッグデバイス。
【請求項２６】
カバーパネルは、エアバッグデバイスが搭載されるボンネットの表皮面を画定する外側部品と、外側部品に固定されるキャリア部品とを有することを特徴とする請求項１８〜２５のいずれか１に記載のエアバッグデバイス。
【請求項２７】
キャリア部品は、外側部品より高い剛性を有することを特徴とする請求項２６に記載のエアバッグデバイス。
【請求項２８】
外側部品は、キャリア部品に接着接合されることを特徴とする請求項２６または２７に記載のエアバッグデバイス。
【請求項２９】
外側部品は、キャリア部品の周縁部に接着接合されることを特徴とする請求項２８に記載のエアバッグデバイス。
【請求項３０】
外側部品は、実質的に連続したビード状接合化合物を用いて、キャリア部品の周縁部に接着接合されることを特徴とする請求項２９に記載のエアバッグデバイス。
【請求項３１】
外側部品は、ポリマ製であることを特徴とする請求項２６〜３０のいずれか１に記載のエアバッグデバイス。
【請求項３２】
キャリア部品は、ポリマ製であることを特徴とする請求項２６〜３１のいずれか１に記載のエアバッグデバイス。
【請求項３３】
キャリア部品は、これに固定された強化部品を有することを特徴とする請求項２６〜３２のいずれか１に記載のエアバッグデバイス。
【請求項３４】
強化部品は金属であることを特徴とする請求項３３に記載のエアバッグデバイス。
【請求項３５】
エアバッグは、第１および第２の外側エアバッグ部の間にある中央エアバッグ部を有し、展開状態にあるとき、第１および第２の外側エアバッグ部は、中央エアバッグ部を超えて拡張することを特徴とする請求項１８〜３４のいずれか１に記載のエアバッグデバイス。
【請求項３６】
非展開状態にあるとき、中央エアバッグ部が丸められた形態を有するとともに、第１および第２の外側エアバッグ部が丸められ、折り畳まれた形態を有することを特徴とする請求項３５に記載のエアバッグデバイス。
【請求項３７】
エアバッグは、１つまたはそれ以上のテザーに対応する１つまたはそれ以上のチャンネルを有し、
展開状態にあるとき、１つまたはそれ以上のチャンネルが１つまたはそれ以上のテザーを収容することを特徴とする請求項１９を引用する請求項３５または３６に記載のエアバッグデバイス。
【請求項３８】
１つまたはそれ以上のチャンネルは、中央エアバッグ部と第１および第２の外側エアバッグ部との間の接合部に画定されることを特徴とする請求項３７に記載のエアバッグデバイス。
【請求項３９】
請求項１〜３８のいずれか１に記載のエアバッグデバイスが実装される開口部を画定するパネルを有する車両ボンネット装置。
【請求項４０】
車両ボンネット装置のカバーパネルは、ねじり力に対抗して車両ボンネット装置を強化するように開口部に隣接した横方向スパーを有することを特徴とする請求項３９に記載の車両ボンネット装置。
【請求項４１】
エアバッグは、第１および第２の外側エアバッグ部の間にある中央エアバッグ部を有し、展開状態にあるとき、第１および第２の外側エアバッグ部は、関連車両の各Ａピラー上に拡張し、中央エアバッグ部は、車両ボンネット装置の後方に配置される関連車両のカウル領域を実質的に覆うことを特徴とする請求項３９または４０に記載の車両ボンネット装置。
【請求項４２】
非展開状態にあるとき、中央エアバッグ部が丸められた形態を有するとともに、第１および第２の外側エアバッグ部が丸められ、折り畳まれた形態を有することを特徴とする請求項４１に記載の車両ボンネット装置。
【請求項４３】
エアバッグは、１つまたはそれ以上のテザーに対応する１つまたはそれ以上のチャンネルを有し、
エアバッグが展開状態にあるとき、１つまたはそれ以上のチャンネルが１つまたはそれ以上のテザーを収容することを特徴とする請求項１１〜１５および請求項１８〜２３のいずれか１を引用する請求項４１または４２に記載の車両ボンネット装置。
【請求項４４】
請求項３９〜４３のいずれか１に記載の車両ボンネット装置を搭載した車両。
【請求項４５】
請求項１〜３８のいずれか１に記載のエアバッグデバイスを搭載した車両。
【国際調査報告】
2016525483.tif 000018
2016525483.tif 000019
2016525483.tif 000020
2016525483.tif 000021
2016525483.tif 000022